(57)【特許請求の範囲】
【請求項１】
架台を立脚させるための脚を少なくとも４本備え、
前記架台の水平出しを行うための３本のアジャスターを前記立脚用の脚とは別に設け、
前記３本のアジャスターのうち、前記架台後方の１本は前記脚の長さに比べて短く形成した底脚とし、水平出しする際に、該底脚の下で床との間にスペーサを介在させ、２本のアジャスターで水平出しすることを特徴とする水平出し装置。
【発明の詳細な説明】
【技術分野】
【０００１】
本発明は、水平出し装置に関し、詳しくは水平出しが必要な装置のアジャスター（水平出し機構）に関する。
【背景技術】
【０００２】
従来技術における水平出し装置は、図５に示すように、架台１１１の底部に３本の脚１１２ａ、１１２ｂ、１１２ｃを備え、その脚１１２ａ、１１２ｂ、１１２ｃの夫々が上下に調整自在のアジャスター機能を備えた構成になっている。このように３点支持の脚１１２ａ、１１２ｂ、１１２ｃにおいては、３本の脚１１２ａ、１１２ｂ、１１２ｃを上下に調整して架台の水平出しを行う
【０００３】
又、図６に示すように、４本脚構造の水平出し装置は、架台１１１の底部に４本の脚１１２ａ、１１２ｂ、１１２ｃ、１１２ｄを備え、その脚１１２ａ、１１２ｂ、１１２ｃ、１１２ｄの夫々が上下に調整自在のアジャスター機能を備えた構成になっている。このように、４点支持の脚においては、４本の脚１１２ａ、１１２ｂ、１１２ｃ、１１２ｄを上下に調整して架台１１１の水平出しを行う。
【特許文献１】特開平１０―１２８０８１号公報（第３頁  第１図）
【発明の開示】
【発明が解決しようとする課題】
【０００４】
しかしながら、従来技術で説明した３点支持の脚においては、３本で支持するため架台の水平出しが容易であるという利点があるが、架台の安定性が悪いという問題がある。
４点支持の脚においては、４本の脚で支持するため架台の安定性が良いという利点があるが、架台の水平出しの際、先ず３本の脚で接地し、１本の脚が浮く状態となるため、１本の脚は補助的な役割になり３本で水平出しを行うことにより、４本目を調整する際に３本で調整した姿勢がずれる可能性があるという欠点がある。
【０００５】
更に、３点支持の脚、４点支持の脚に共通して、常に、アジャスター機能を有する脚によって架台を支持するため、搬送時に脚に衝撃が加わり、アジャスター機能が破損するといった問題もある。
【０００６】
従って、従来の３点支持と４点支持の利点である架台の安定性が良いことと水平出しが容易であるということを共に満たす構造であって、加えて、アジャスターに過度の衝撃を与えないような構造に解決しなければならない課題を有する。
【課題を解決するための手段】
【０００７】
上記課題を解決するために、本願発明の水平出し装置は、次に示す構成にしたことである。
【０００８】
（１）水平出し装置は、
架台を立脚させるための脚を少なくとも４本備え、
前記架台の水平出しを行うための３本のアジャスターを前記立脚用の脚とは別に設け、
前記３本のアジャスターのうち、前記架台後方の１本は前記脚の長さに比べて短く形成した底脚とし、水平出しする際に、該底脚の下で床との間にスペーサを介在させ、２本のアジャスターで水平出しすることである。
【発明の効果】
【０００９】
本発明においては、架台を保管時には４本の脚を接地させ、水平出し時は、３本のアジャスターを伸長させて水平出しを行うため、保管時には安定した状態での保管が可能になり、水平出し時には水平作業が容易となる。
又、架台を搬送する際には、アジャスターを引き込んだ状態で４本の脚を接地させた状態での搬送になるため、アジャスターへの直接の衝撃がなくなり破損といった弊害を除去することができる。
【発明を実施するための最良の形態】
【００１０】
次に、本願発明に係る水平出し装置の実施例について図面を参照して説明する。
【００１１】
本願発明の水平出し装置は、図１及び図２に示すように、架台１１の底面のコーナー夫々に１本の脚１２ａ（、１２ｂ、１２ｃ、１２ｄ）を、合計して４本備え、そのコーナーに設けた脚１２ａ、１２ｂの外側に２本のアジャスター１３ａ、１３ｂを設け、１本のアジャスター１３ｃを反対側コーナーの２本の脚１２ｃ、１２ｄの間に備えた構成になっている。
【００１２】
このような構成からなる水平出し装置において、保管時は、図１に示すように、３本のアジャスター１２ａ、１２ｂ、１２ｃを全て上げておき、４本の脚１２ａ、１２ｂ、１２ｃ、１２ｄ全てを接地させる。
架台１１の水平出しが必要な時は、図２に示すように、３本のアジャスター１３ａ、１３ｂ、１３ｃを伸長させることにより４本の脚１２ａ、１２ｂ、１２ｃ、１２ｄの接地から３本のアジャスター１３ａ、１３ｂ、１３ｃの接地に切替え、３本のアジャスター１３ａ、１３ｂ、１３ｃにより水平出しを行う。
【００１３】
次に、応用として常に床からの一定の高さにおいて、水平出しが必要な装置については、３本のアジャスターの替わりに、２本のアジャスターと脚の寸法よりも短い底脚１本の構成にする。
図３及び図４に示すように、架台１１のコーナー四隅の夫々に１本の脚１２ａ（、１２ｂ、１２ｃ、１２ｄ）を、合計して４本の脚を設け、架台１１前方方向の２本の脚１２ａ、１２ｂの近傍位置に２本のアジャスター１３ａ、１３ｂを設け、架台１１後方の２本の脚１２ｃ、１２ｄの間に脚１２ａ（、１２ｂ、１２ｃ、１２ｄ）の寸法よりも短い底脚１４を設けた構成にする。
【００１４】
このような構成からなる水平出し装置において、保管時には、図３に示すように、２本のアジャスター１３ａ、１３ｂを全て上げておき、４本の脚１２ａ、１２ｂ、１２ｃ、１２ｄ全てを接地させて支持する。
装置の水平出しが必要な時は、図４に示すように、２本のアジャスター１３ａ、１３ｂを下げ、短い底脚１４の下にスペーサ１５を入れ、２本のアジャスター１３ａ、１３ｂと短い底脚１４の３点で支持し、短い底脚１４とスペーサ１５を足し合わせた高さを基準に、２本のアジャスター１３ａ、１３ｂにより水平出しを行う。このことにより、架台１１の床からの高さを一定に決めることができる。そして、架台１１の前面からのアクセスのみで水平出しの調整が可能となるため、水平出しの調整時の作業性が向上する。
【００１５】
尚、短い底脚とスペーサの代わりにエアシリンダや電気シリンダを使用してもよい。このようにすると、短い底脚とスペーサの時は切替時、架台を持ち上げスペーサを入れる必要があったが、圧力、電気駆動のシリンダを用いることにより、その必要がなくなり、切替時の作業性が向上する。
【００１６】
また、架台を立脚させるための立脚用の脚１２ａ、１２ｂ、１２ｃ、１２ｄを４本にする構成を示したが、４本以上にしてもよい。
【産業上の利用可能性】
【００１７】
架台を保管時には４本の脚を接地させ、水平出し時は、３本のアジャスターを伸長させて水平出しを行うため、保管時には安定した状態での保管が可能になり、水平出し時には水平作業が容易となると共に、架台を搬送する際には、アジャスターを引き込んだ状態で４本の脚を接地させた状態での搬送になるため、アジャスターへの直接の衝撃がなくなり破損といった弊害を除去することができる水平出し装置を提供する。
【図面の簡単な説明】
【００１８】
【図１】本願発明の水平出し装置を略示的に示したもので、（Ａ）は平面図、（Ｂ）は側面図、（Ｃ）は正面図である。
【図２】同、アジャスターを下げた状態を示したもので、（Ａ）は平面図、（Ｂ）は側面図、（Ｃ）は正面図である。
【図３】本願発明の水平出し装置の応用例を略示的に示したもので、（Ａ）は平面図、（Ｂ）は側面図、（Ｃ）は正面図、（Ｄ）は脚の部分での断面図である。
【図４】同、水平出し時にスペーサを加えた状態を示したもので、（Ａ）は平面図、（Ｂ）は側面図、（Ｃ）は正面図である。
【図５】従来技術における３点支持構造のアジャスター機構を備えた脚を示したもので、（Ａ）は平面図、（Ｂ）は側面図、（Ｃ）は正面図である。
【図６】従来技術における４点支持構造のアジャスター機構を備えた脚を示したもので、（Ａ）は平面図、（Ｂ）は側面図、（Ｃ）は正面図である。
【符号の説明】
【００１９】
１１      架台
１２ａ    脚
１２ｂ    脚
１２ｃ    脚
１２ｄ    脚
１３ａ    アジャスター
１３ｂ    アジャスター
１３ｃ    アジャスター
１４      底脚
１５      スペーサ
【図１】
0005152625.tif 000002
【図２】
0005152625.tif 000003
【図３】
0005152625.tif 000004
【図４】
0005152625.tif 000005
【図５】
0005152625.tif 000006
【図６】
0005152625.tif 000007